(57)【要約】【課題】所定の規格に沿った証明写真を簡単に撮影し、プリントすることができるデジタルカメラ及びプリントシステムを提供する。【解決手段】デジタルカメラをプリンタに接続すると、プリンタでプリント可能なサイズ、レイアウトの情報がプリンタからデジタルカメラに送信される。デジタルカメラを証明写真モードに設定すると、このプリンタから取得したサイズ、レイアウトの中からプリントを希望するサイズ、レイアウトを選択して、撮影することができる。この際、液晶モニタには、選択したサイズと同じアスペクト比のスルー画像が表示される。撮影が行われると、選択したプリントサイズ、レイアウトの情報ともに、撮影した画像データがプリンタに送信され、プリンタでプリントされる。【選択図】      図１１
2006033604.tif 000002
【特許請求の範囲】
【請求項１】
本撮影前に撮像素子で撮像された画像をスルー画像としてモニタに表示し、撮影指示に応じて前記撮像素子で撮像された画像を記憶媒体に記憶するとともに、プリント指示に応じて前記記憶媒体に記憶された画像を通信手段を介して接続されたプリンタにプリントさせるデジタルカメラにおいて、
プリント可能なサイズの情報を前記通信手段を介して前記プリンタから取得するプリンタ情報取得手段と、
証明写真モードに設定するモード設定手段と、
前記証明写真モードの設定時に前記プリンタ情報取得手段から取得したプリント可能なサイズの中から任意のサイズを選択する選択手段と、
前記証明写真モードの設定時に前記撮像素子で撮像された画像を前記選択手段で選択されたサイズと同じアスペクト比の画像になるように処理する画像処理手段と、
前記証明写真モードの設定時に前記画像処理手段で処理された画像をスルー画像としてモニタに表示させる表示制御手段と、
前記証明写真モードの設定時に撮影指示に応じて前記画像処理手段で処理された画像を前記記憶媒体に記憶させる記憶制御手段と、
前記証明写真モードの設定時にプリント指示に応じて前記記憶媒体に記憶された画像を前記選択手段で選択されたサイズで前記プリンタにプリントさせるプリント制御手段と、
を備えたことを特徴とするデジタルカメラ。
【請求項２】
前記プリンタ情報取得手段は、プリント可能なサイズの情報とレイアウトの情報とを前記通信手段を介して前記プリンタから取得し、前記選択手段は、前記プリンタ情報取得手段から取得したプリント可能なサイズとレイアウトの中から任意のサイズとレイアウトとを選択し、前記プリント制御手段は、プリント指示に応じて前記記憶媒体に記憶された画像を前記選択手段で選択されたサイズとレイアウトで前記プリンタにプリントさせることを特徴とする請求項１に記載のデジタルカメラ。
【請求項３】
前記プリンタ情報取得手段で前記プリンタから取得するプリント可能なサイズの情報には、各サイズごとに構図のガイド情報が付加され、前記表示制御手段は、該構図のガイド情報に従った構図のガイドを前記スルー画像と共に前記モニタに表示させることを特徴とする請求項１又は２に記載のデジタルカメラ。
【請求項４】
本撮影前に撮像素子で撮像された画像をスルー画像としてモニタに表示し、撮影指示に応じて前記撮像素子で撮像された画像を記憶媒体に記憶するデジタルカメラと、該デジタルカメラと通信手段を介して接続され、該デジタルカメラからのプリント指示に応じて該デジタルカメラから送信された画像データをプリントするプリンタとからなるプリントシステムにおいて、
前記プリンタは、
プリント可能なサイズの情報が記憶されたプリンタ情報記憶手段を備え、
前記デジタルカメラは、
前記プリンタから前記プリンタ情報記憶手段に記憶されたプリント可能なサイズの情報を前記通信手段を介して取得するプリンタ情報取得手段と、
証明写真モードに設定するモード設定手段と、
前記証明写真モードの設定時に前記プリンタ情報取得手段から取得したプリント可能なサイズの中から任意のサイズを選択する選択手段と、
前記証明写真モードの設定時に前記撮像素子で撮像された画像を前記選択手段で選択されたサイズと同じアスペクト比の画像になるように処理する画像処理手段と、
前記証明写真モードの設定時に前記画像処理手段で処理された画像をスルー画像としてモニタに表示させる表示制御手段と、
前記証明写真モードの設定時に撮影指示に応じて前記画像処理手段で処理された画像を前記記憶媒体に記憶させる記憶制御手段と、
前記証明写真モードの設定時にプリント指示に応じて前記記憶媒体に記憶された画像を前記選択手段で選択されたサイズで前記プリンタにプリントさせるプリント制御手段と、
を備えることを特徴とするプリントシステム。
【請求項５】
前記プリンタのプリンタ情報記憶手段には、プリント可能なサイズの情報とレイアウトの情報とが記憶される一方、前記デジタルカメラのプリンタ情報取得手段は、前記プリンタから前記プリンタ情報記憶手段に記憶されたプリント可能なサイズの情報とレイアウトの情報とを前記通信手段を介して取得し、前記選択手段は、前記プリンタ情報取得手段から取得したプリント可能なサイズとレイアウトの中から任意のサイズとレイアウトとを選択し、前記プリント制御手段は、プリント指示に応じて前記記憶媒体に記憶された画像を前記選択手段で選択されたサイズとレイアウトで前記プリンタにプリントさせることを特徴とする請求項４に記載のプリントシステム。
【請求項６】
前記プリンタのプリンタ情報記憶手段に記憶されるプリント可能なサイズの情報には、各サイズごとに構図のガイド情報が付加される一方、前記デジタルカメラの表示制御手段は、該構図のガイド情報に従った構図のガイドを前記スルー画像と共に前記モニタに表示させることを特徴とする請求項４又は５に記載のプリントシステム。
【発明の詳細な説明】
【技術分野】
【０００１】
本発明はデジタルカメラ及びプリントシステムに係り、特にプリンタと直接接続し、撮影した画像をプリンタで直接プリントする機能を備えたデジタルカメラ及びプリントシステムに関する。
【背景技術】
【０００２】
近年、デジタルカメラの普及に伴いデジタルカメラで撮影した画像を直接プリンタでプリントする機能（ダイレクトプリント）を備えたデジタルカメラが種々提案されている。たとえば、特許文献１（特開平１１−３２２９５号公報）には、デジタルカメラとデジタルカラープリンタとを通信ケーブルで接続し、デジタルカメラで撮影した画像をデジタルカラープリンタに送信して、直接プリントできるようにしたプリントシステムが提案されている。また、特許文献２（特開平１１−４６３３１号公報）には、デジタルカメラからプリンタに画像データを送信する際、印刷枚数や用紙サイズ等を指定して送信できるようにしたデジタルカメラが提案されている。
【０００３】
このようなダイレクトプリントの機能を用いることにより、ユーザはデジタルカメラで撮影した画像を手軽にプリンタでプリントすることができ、プリントした画像を証明写真に用いることもできる。
【０００４】
しかし、証明写真用の画像は、用途に応じてサイズや顔が写される位置が規定されており、ユーザが規定どおりに撮影、プリントすることは難しい。
【０００５】
そこで、このような証明写真用の画像の撮影、プリントを容易に行うことができるようにしたデジタルカメラも種々提案されている。たとえば、特許文献３（特開２００３−４６９１７号公報）には、プリントする画像をトリミングする機能を備えたデジタルカメラが提案されている。また、特許文献４（特開２０００−１９６９８０号公報）には、撮影した画像から人物領域を自動認識し、規格に合致したサイズ、配置でインスタントフィルムに自動プリントするデジタルカメラが提案されている。さらに、特許文献５（特開２０００−３２１６５２号公報）には、撮影時に顔を配置すべき大きさ、位置を指示する枠をファインダに表示するフィルムカメラが提案されており、特許文献６（特開平１１−１２２５７７号公報）には、撮影した画像に窓枠画像やキャラクターコード等の副画像を合成してプリンタに出力するデジタルカメラが提案されている。
【特許文献１】特開平１１−３２２９５号公報
【特許文献２】特開平１１−４６３３１号公報
【特許文献３】特開２００３−４６９１７号公報
【特許文献４】特開２０００−１９６９８０号公報
【特許文献５】特開２０００−３２１６５２号公報
【特許文献６】特開平１１−１２２５７７号公報
【発明の開示】
【発明が解決しようとする課題】
【０００６】
ところで、証明写真は用途に応じて複数枚必要になる場合があるが、従来は複数の証明写真が必要な場合、必要枚数だけ同じ画像を繰り返しプリントしていた。このため、プリントの効率が悪く、また、記録紙の無駄遣いになりやすいという欠点があった。また、プリンタ側がプリントしようとするサイズに対応していない場合には、まったくプリントできないという欠点もあった。
【０００７】
本発明は、このような事情に鑑みてなされたもので、所定の規格に沿った証明写真を簡単に撮影し、プリントすることができるデジタルカメラ及びプリントシステムを提供することを目的とする。
【課題を解決するための手段】
【０００８】
請求項１に係る発明は、前記目的を達成するために、本撮影前に撮像素子で撮像された画像をスルー画像としてモニタに表示し、撮影指示に応じて前記撮像素子で撮像された画像を記憶媒体に記憶するとともに、プリント指示に応じて前記記憶媒体に記憶された画像を通信手段を介して接続されたプリンタにプリントさせるデジタルカメラにおいて、プリント可能なサイズの情報を前記通信手段を介して前記プリンタから取得するプリンタ情報取得手段と、証明写真モードに設定するモード設定手段と、前記証明写真モードの設定時に前記プリンタ情報取得手段から取得したプリント可能なサイズの中から任意のサイズを選択する選択手段と、前記証明写真モードの設定時に前記撮像素子で撮像された画像を前記選択手段で選択されたサイズと同じアスペクト比の画像になるように処理する画像処理手段と、前記証明写真モードの設定時に前記画像処理手段で処理された画像をスルー画像としてモニタに表示させる表示制御手段と、前記証明写真モードの設定時に撮影指示に応じて前記画像処理手段で処理された画像を前記記憶媒体に記憶させる記憶制御手段と、前記証明写真モードの設定時にプリント指示に応じて前記記憶媒体に記憶された画像を前記選択手段で選択されたサイズで前記プリンタにプリントさせるプリント制御手段と、を備えたことを特徴とするデジタルカメラを提供する。
【０００９】
本発明によれば、プリンタでプリント可能なサイズの情報が通信手段を介してプリンタから取得できる。これにより、プリンタ側でプリント可能なサイズをデジタルカメラ側で把握することができる。また、証明写真モードにすると、取得したサイズの中から任意のサイズを選択手段で選択でき、選択されたサイズと同じアスペクト比の画像がスルー画像としてモニタに表示される。ユーザは、このモニタに表示されたスルー画を見ながら本撮影を行う。本撮影が行われると、選択手段で選択されたサイズと同じアスペクト比の画像に処理されて記憶媒体に記憶され、この記憶媒体に記憶された画像が、プリント指示に応じてプリンタに出力され、選択手段で選択されたサイズでプリントされる。
【００１０】
また、請求項２に係る発明は、前記目的を達成するために、前記プリンタ情報取得手段は、プリント可能なサイズの情報とレイアウトの情報とを前記通信手段を介して前記プリンタから取得し、前記選択手段は、前記プリンタ情報取得手段から取得したプリント可能なサイズとレイアウトの中から任意のサイズとレイアウトとを選択し、前記プリント制御手段は、プリント指示に応じて前記記憶媒体に記憶された画像を前記選択手段で選択されたサイズとレイアウトで前記プリンタにプリントさせることを特徴とする請求項１に記載のデジタルカメラを提供する。
【００１１】
本発明によれば、プリンタでプリント可能なサイズの情報とレイアウトの情報をプリンタから取得することができ、取得したサイズとレイアウトの中から任意のサイズとレイアウトをデジタルカメラで選択することができる。そして、その選択したサイズ、レイアウトで撮影した画像をプリンタにプリントさせることができる。これにより、所望のサイズの画像を必要枚数だけ無駄なく効率的にプリントすることができる。
【００１２】
また、請求項３に係る発明は、前記目的を達成するために、前記プリンタ情報取得手段で前記プリンタから取得するプリント可能なサイズの情報には、各サイズごとに構図のガイド情報が付加され、前記表示制御手段は、該構図のガイド情報に従った構図のガイドを前記スルー画像と共に前記モニタに表示させることを特徴とする請求項１又は２に記載のデジタルカメラを提供する。
【００１３】
本発明によれば、プリンタから取得するプリント可能なサイズの情報に構図のガイド情報が付加されており、この構図のガイド情報に従った構図のガイドがスルー画像と共にモニタに表示される。これにより、サイズごとに定められた規定の構図の画像を簡単に撮影することができる。
【００１４】
また、請求項４に係る発明は、前記目的を達成するために、本撮影前に撮像素子で撮像された画像をスルー画像としてモニタに表示し、撮影指示に応じて前記撮像素子で撮像された画像を記憶媒体に記憶するデジタルカメラと、該デジタルカメラと通信手段を介して接続され、該デジタルカメラからのプリント指示に応じて該デジタルカメラから送信された画像データをプリントするプリンタとからなるプリントシステムにおいて、前記プリンタは、プリント可能なサイズの情報が記憶されたプリンタ情報記憶手段を備え、前記デジタルカメラは、前記プリンタから前記プリンタ情報記憶手段に記憶されたプリント可能なサイズの情報を前記通信手段を介して取得するプリンタ情報取得手段と、証明写真モードに設定するモード設定手段と、前記証明写真モードの設定時に前記プリンタ情報取得手段から取得したプリント可能なサイズの中から任意のサイズを選択する選択手段と、前記証明写真モードの設定時に前記撮像素子で撮像された画像を前記選択手段で選択されたサイズと同じアスペクト比の画像になるように処理する画像処理手段と、前記証明写真モードの設定時に前記画像処理手段で処理された画像をスルー画像としてモニタに表示させる表示制御手段と、前記証明写真モードの設定時に撮影指示に応じて前記画像処理手段で処理された画像を前記記憶媒体に記憶させる記憶制御手段と、前記証明写真モードの設定時にプリント指示に応じて前記記憶媒体に記憶された画像を前記選択手段で選択されたサイズで前記プリンタにプリントさせるプリント制御手段と、を備えることを特徴とするプリントシステムを提供する。
【００１５】
本発明によれば、プリンタでプリント可能なサイズの情報が通信手段を介してプリンタから取得できる。これにより、プリンタ側でプリント可能なサイズをデジタルカメラ側で把握することができる。また、証明写真モードにすると、取得したサイズの中から任意のサイズを選択手段で選択でき、選択されたサイズと同じアスペクト比の画像がスルー画像としてモニタに表示される。ユーザは、このモニタに表示されたスルー画を見ながら本撮影を行う。本撮影が行われると、選択手段で選択されたサイズと同じアスペクト比の画像に処理されて記憶媒体に記憶され、この記憶媒体に記憶された画像が、プリント指示に応じてプリンタに出力され、選択手段で選択されたサイズでプリントされる。
【００１６】
また、請求項５に係る発明は、前記目的を達成するために、前記プリンタのプリンタ情報記憶手段には、プリント可能なサイズの情報とレイアウトの情報とが記憶される一方、前記デジタルカメラのプリンタ情報取得手段は、前記プリンタから前記プリンタ情報記憶手段に記憶されたプリント可能なサイズの情報とレイアウトの情報とを前記通信手段を介して取得し、前記選択手段は、前記プリンタ情報取得手段から取得したプリント可能なサイズとレイアウトの中から任意のサイズとレイアウトとを選択し、前記プリント制御手段は、プリント指示に応じて前記記憶媒体に記憶された画像を前記選択手段で選択されたサイズとレイアウトで前記プリンタにプリントさせることを特徴とする請求項４に記載のプリントシステムを提供する。
【００１７】
本発明によれば、プリンタでプリント可能なサイズの情報とレイアウトの情報をプリンタから取得することができ、取得したサイズとレイアウトの中から任意のサイズとレイアウトをデジタルカメラで選択することができる。そして、その選択したサイズ、レイアウトで撮影した画像をプリンタにプリントさせることができる。これにより、所望のサイズの画像を必要枚数だけ無駄なく効率的にプリントすることができる。
【００１８】
また、請求項６に係る発明は、前記目的を達成するために、前記プリンタのプリンタ情報記憶手段に記憶されるプリント可能なサイズの情報には、各サイズごとに構図のガイド情報が付加される一方、前記デジタルカメラの表示制御手段は、該構図のガイド情報に従った構図のガイドを前記スルー画像と共に前記モニタに表示させることを特徴とする請求項４又は５に記載のプリントシステムを提供する。
【００１９】
本発明によれば、プリンタから取得するプリント可能なサイズの情報に構図のガイド情報が付加されており、この構図のガイド情報に従った構図のガイドがスルー画像と共にモニタに表示される。これにより、サイズごとに定められた規定の構図の画像を簡単に撮影することができる。
【発明の効果】
【００２０】
本発明に係るデジタルカメラ及びプリントシステムによれば、所定の規格に沿った証明写真を簡単に撮影し、プリントすることができる。
【発明を実施するための最良の形態】
【００２１】
以下、添付図面に従って本発明に係るデジタルカメラ及びプリントシステムを実施するための最良の形態について説明する。
【００２２】
図１は、本発明に係るプリントシステムの一実施形態を示すシステム構成図である。同図に示すように、本発明が適用されたデジタルカメラ１０は、プリンタ２００と通信ケーブル（ここでは、ＵＳＢケーブル）３００を介して直接接続され、撮影した画像を直接プリンタでプリントできるようにされている。
【００２３】
図２、図３は、それぞれ本発明が適用されたデジタルカメラの一実施形態を示す正面斜視図と背面斜視図である。
【００２４】
図２に示すように、カメラボディ１２の正面には、撮影レンズ１４、ファインダ窓１６、ストロボ１８、マイク２０等が設けられており、上面には、シャッターボタン２２、電源／モードスイッチ２４、モードダイヤル２６等が設けられている。
【００２５】
また、図３に示すように、カメラボディ１２の背面には、ファインダ接眼部２８、液晶モニタ３０、ズームボタン３２、十字ボタン３４、ＭＥＮＵ／ＯＫボタン３６、ＤＩＳＰボタン３８、ＢＡＣＫボタン４０、スピーカ４２等が設けられており、片側の側面には、ＵＳＢ端子４４、電源端子４６、ＡＶ出力端子４８が設けられている。
【００２６】
また、図示しないカメラボディ１２の底面には、開閉自在なカバーを介してバッテリーを収納するためのバッテリー収納室と、メモリカードを装填するためのメモリカードスロットとが設けられている。
【００２７】
シャッターボタン２２は、いわゆる「半押し」と「全押し」とからなる２段ストローク式のスイッチで構成されている。デジタルカメラ１０は、このシャッターボタン２２を半押しすることにより、ＡＥ（Automatic Exposure：自動露出）、ＡＦ（Auto Focus：自動合焦）、ＡＷＢ（Automatic White Balance ：自動ホワイトバランス）が機能し、全押しすることにより撮影が行われる。
【００２８】
電源／モードスイッチ２４は、デジタルカメラ１０の電源をＯＮ／ＯＦＦする電源スイッチとしての機能と、デジタルカメラ１０のモードを設定するモードスイッチとしての機能を有しており、「ＯＦＦ位置」、「再生位置」、「撮影位置」、「証明写真位置」の間をスライド自在に設けられている。デジタルカメラ１０は、この電源／モードスイッチ２４を「再生位置」、「撮影位置」又は「照明写真位置」に合わせることにより、電源がＯＮになり、「ＯＦＦ位置」に合わせることにより、電源がＯＦＦになる。そして、電源／モードスイッチ２４を「再生位置」に合わせることにより「再生モード」に設定され、「撮影位置」に合わせることにより「撮影モード」に設定され、「証明写真位置」に合わせることにより「証明写真モード」に設定される。
【００２９】
モードダイヤル２６は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタースピード優先撮影モード」、「マニュアル撮影モード」に設定される。
【００３０】
液晶モニタ３０は、カラー表示が可能な液晶ディスプレイで構成されている。この液晶モニタ３０は、再生モード時に撮影済み画像を表示するための画像表示パネルとして利用されるとともに、各種設定時にユーザインターフェース表示パネルとして利用される。また、撮影時には必要に応じてスルー画像が表示されて、画角確認用の電子ファインダとして利用される。
【００３１】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００３２】
十字ボタン３４は、上下左右４方向に押圧操作することができるようにされており、各方向の指示を入力するボタンとして機能する。
【００３３】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００３４】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００３５】
図４は、デジタルカメラ１０の電気的構成を示すブロック図である。同図に示すように、デジタルカメラ１０は、ＣＰＵ１１０、操作部（シャッターボタン２２、電源／モードスイッチ２４、モードダイヤル２６、ズームボタン３２、十字ボタン３４、ＭＥＮＵ／ＯＫボタン３６、ＤＩＳＰボタン３８、ＢＡＣＫボタン４０等）１１２、ＲＯＭ１１６、ＥＥＰＲＯＭ１１８、メモリ（ＳＤＲＡＭ）１２０、ＶＲＡＭ１２２、光学ユニット１２６、フォーカスモータドライバ１２８、ズームモータドライバ１３０、アイリスモータドライバ１３２、撮像素子１３４、タイミングジェネレータ（ＴＧ）１３６、アナログ処理回路１３８、Ａ／Ｄ変換器１４０、画像入力コントローラ１４２、画像信号処理回路１４４、圧縮・伸張処理回路１４６、メディアコントローラ１４８、記憶メディア（メモリカード）１５０、ＵＳＢインターフェース１５２、ＬＣＤ／ビデオエンコーダ１５４、ＯＳＤ回路１５６、ＡＥ／ＡＷＢ検出回路１５８、ＡＦ検出回路１６０等で構成されている。
【００３６】
ＣＰＵ１１０は、デジタルカメラ１０の全体の動作を制御する制御部として機能するとともに、各種の演算処理を行う演算手段として機能し、操作部１１２からの入力に基づき所定の制御プログラムに従って各回路を制御する。
【００３７】
バス１１４を介して接続されたＲＯＭ１１６には、ＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００３８】
メモリ（ＳＤＲＡＭ）１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００３９】
光学ユニット１２６は、撮影レンズ１４と絞り５０とで構成されている。撮影レンズ１４は、図示しないフォーカスモータに駆動されて光軸に沿って前後移動するフォーカスレンズ１４Ｆと、図示しないズームモータに駆動されて光軸に沿って前後移動するズームレンズ１４Ｚとを備えている。ＣＰＵ１１０は、フォーカスモータドライバ１２８を介してフォーカスモータの駆動を制御することにより、撮影レンズ１４のフォーカスを制御し、ズームモータドライバ１３０を介してズームモータの駆動を制御することにより、撮影レンズ１４のズームを制御する。絞り５０は、図示しないアイリスモータに駆動されることにより、開口量（絞り値）が変化する。ＣＰＵ１１０は、アイリスモータドライバ１３２を介してアイリスモータの駆動を制御することにより、絞り５０の絞り値を制御する。
【００４０】
撮像素子１３４は、カラーＣＣＤで構成されており、その受光面には多数のフォトダイオード（受光素子）が配列されている。光学ユニット１２６を介して撮像素子１３４の受光面に入射した光は、各フォトダイオードによって入射光量に応じた量の信号電荷に変換される。
【００４１】
タイミングジェネレータ（ＴＧ）１３６は、ＣＰＵ１１０からの指令に従い、主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００４２】
アナログ処理回路１３８は、撮像素子１３４から順次出力される画像信号を相関二重サンプリング処理するとともに増幅する。
【００４３】
Ａ／Ｄ変換器１４０は、アナログ処理回路１３８から出力されたＲ、Ｇ、Ｂのアナログの画像信号をそれぞれデジタルの画像信号に変換する。
【００４４】
画像入力コントローラ１４２は、所定容量のラインバッファを内蔵し、Ａ／Ｄ変換器１４０から出力された１画像分の画像信号を蓄積して、メモリ１２０に格納する。
【００４５】
画像信号処理回路１４４は、ＣＰＵ１１０からの指令に従って入力されたデジタル画像信号に所要の信号処理を施して画像データを生成する。また、ＣＰＵ１１０からの指令に従って画像のトリミング処理を行う。
【００４６】
圧縮・伸張処理回路１４６は、ＣＰＵ１１０からの指令に従い、入力された画像データに圧縮処理を施し、所定フォーマットの圧縮画像データを生成する。また、入力された圧縮画像データに伸張処理を施し、非圧縮のデジタル画像データを生成する。
【００４７】
メディアコントローラ１４８は、ＣＰＵ１１０からの指令に従い、メディアスロットに装填された記憶メディア（メモリカード）１５０に対してデータの読み出し及び書き込みを制御する。
【００４８】
ＵＳＢインターフェース１５２は、ＣＰＵ１１０からの指令に従い、ＵＳＢ端子４４を介して接続された外部機器（ここでは、プリンタ２００）との間でＵＳＢ規格に従ったデータ通信を行う。
【００４９】
ＬＣＤ／ビデオエンコーダ１５４は、ＣＰＵ１１０からの指令に従い、画像データが示す画像を液晶モニタ３０に表示するための信号を生成して、液晶モニタ３０に出力する。また、画像データが示す画像をテレビに表示するための信号（たとえば、ＮＴＳＣ信号やＰＡＬ信号、ＳＣＡＭ信号）を生成して、ＡＶ出力端子４８に出力する。
【００５０】
ＯＳＤ（On Screen Display ）回路１５６は、ＣＰＵ１１０からの指令に従って、液晶モニタ等の画面上に表示する文字や図形を示す信号をＬＣＤ／ビデオエンコーダ１５４に出力する。
【００５１】
ＡＥ／ＡＷＢ検出回路１５８は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（例えば、１６×１６）に分割し、分割した各エリアごとにＲ、Ｇ、Ｂの画像信号の積算値を算出する。ＣＰＵ１１０は、このＡＥ／ＡＷＢ検出回路１５８から得た積算値に基づいて被写体の明るさ（被写体輝度）を検出して、撮影に適した露出値（撮影ＥＶ値）を算出し、算出した撮影ＥＶ値と所定のプログラム線図から絞り値とシャッタースピードを決定する。また、ＡＷＢ制御に必要な物理量として、１画面を複数のエリア（例えば、１６×１６）に分割し、分割した各エリアごとにＲ、Ｇ、Ｂの画像信号の色別の平均積算値を算出する。ＣＰＵ１１０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００５２】
ＡＦ検出回路１６０は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出回路１６０は、入力された画像信号から画像の鮮鋭度を示す焦点評価値を算出する。ＣＰＵ１１０は、このＡＦ検出回路１６０で算出される焦点評価値が極大となるように、フォーカスモータドライバ１２８の駆動を制御し、フォーカスレンズ１４Ｆの移動を制御する。
【００５３】
図５は、デジタルカメラ１０に接続されるプリンタ２００の電気的構成を示すブロック図である。
【００５４】
同図に示すように、プリンタ２００は、主として電源スイッチ等を含む操作部２０２と、デジタルカメラ１００との間でＵＳＢケーブル３００を介してデータ通信するためのＵＳＢ端子２０４及びＵＳＢインターフェース２０６と、プリンタ２００の各部を統括制御するＣＰＵ２０８と、ＣＰＵ２０８を動作させるプログラムや各種定数等が書き込まれているＲＯＭ２１０と、ＣＰＵ２０８が処理を実行する際の作業領域となるＲＡＭ２１２と、デジタルカメラ１０から受信した画像データを一時記憶するストレージ部２１４と、所定のカラー感熱記録紙に感熱方式で画像を印画するプリントエンジン２１６と、プリント可能なサイズやレイアウト、各サイズに対応する構図のガイド情報等が記録されているＥＥＰＲＯＭ２２０で構成されている。
【００５５】
なお、本実施の形態のプリンタ２００は、図６に示すように、証明写真用のプリントサイズとして、「６０×５０」、「４０×３０」、「３０×２４」の３つのサイズのプリントが可能にされているものとし、各プリントサイズについて、構図ガイドの情報が設定されているものとする。構図ガイドの情報としては、図６に示すように、顔を収めるべき範囲として、画像の上辺部からの長さｙ1 と、下辺部からの長さｙ2 の情報が設定されているものとする。
【００５６】
また、プリントレイアウトとして、「６０×５０」のプリントサイズに対しては、図７に示すように、「１×１」、「１×２」、「２×２」の３パターンのレイアウトがプリント可能にされているものとし、「４０×３０」のプリントサイズに対しては、図８に示すように、「１×１」、「１×２」、「１×３」、「２×３」の４パターンのレイアウトがプリント可能にされているものとする。また、「３０×２４」のプリントサイズに対しては、図９に示すように、「１×３」、「１×４」、「２×４」、「３×４」の４パターンのレイアウトがプリント可能にされているものとする。
【００５７】
また、カラー感熱記録紙は、帯状に形成され、ロール状に巻かれているものとする。プリントエンジン２１６は、ＣＰＵ２０８の制御の下、この帯状のカラー感熱記録紙を必要分カットして、画像を印画する。
【００５８】
次に、前記のごとく構成された本実施の形態のデジタルカメラを用いたプリントシステムの作用について説明する。
【００５９】
上記のように、デジタルカメラ１０は、電源／モードスイッチ２４を「再生位置」に合わせることにより「再生モード」に設定され、「撮影位置」に合わせることにより「撮影モード」に設定され、「証明写真位置」に合わせることにより「証明写真モード」に設定される。
【００６０】
まず、撮影モード下におけるデジタルカメラ１０の処理動作について説明する。
【００６１】
電源／モードスイッチ２４が「撮影位置」に合わせられ、カメラのモードが撮影モードに設定されると、ＣＰＵ１１０は各部を制御して、デジタルカメラ１０を撮影スタンバイ状態に設定する。
【００６２】
このとき、液晶モニタ３０の表示設定がＯＮ設定にされていると、撮像素子１３４によって連続的に撮像される画像（スルー画像）が液晶モニタ３０に表示される。なお、このスルー画像を表示する場合の処理は、次のとおりである。
【００６３】
１回の撮像によって撮像素子１３４から出力された１画面分の画像信号は、アナログ処理回路１３６、Ａ／Ｄ変換器１３６を介して画像入力コントローラ１４２に取り込まれ、メモリ１２０に格納される。メモリ１２０に格納された１画面分の画像信号は、画像信号処理回路１４４に加えられ、輝度データ（Ｙ）と色差データ（Ｃｒ、Ｃｂ）とからなる画像データ（ＹＣデータ）に変換されたのち、メモリ１２０に格納される。そして、メモリ１２０からＶＲＡＭ１２２に転送され、ＶＲＡＭ１２２からＬＣＤ／ビデオエンコーダ１５４を介して液晶モニタ３０に出力される。これにより、１画面分の画像が液晶モニタ３０に表示される。
【００６４】
スルー画像を液晶モニタ３０に出力する場合は、撮像素子１３４で連続的に画像を撮像し、その画像信号から生成される画像データによってＶＲＡＭ１２２内の画像データを書き換えながら、ＬＣＤ／ビデオエンコーダ１５４を介して液晶モニタ３０に出力する。これにより、撮像素子１３４によって連続的に撮像された画像（スルー画像）が液晶モニタ３０に表示される。撮影者は、この液晶モニタ３０に表示されるスルー画像を見ることにより、液晶モニタ３０をファインダとして使用しながら撮影することができる。
【００６５】
さて、上記のようにデジタルカメラ１０は、シャッターボタン２２の半押しでＡＥ、ＡＦ、ＡＷＢが機能し、全押しで画像記録が行われる。
【００６６】
シャッターボタン２２が半押しされると、ＣＰＵ１１０にＳ１ＯＮ信号が入力され、このＳ１ＯＮ信号に応動して、ＣＰＵ１１０はＡＥ、ＡＦ、ＡＷＢの処理を実行する。
【００６７】
まず、Ｓ１ＯＮ信号に応動して撮像素子１３４から出力された画像信号が、アナログ処理回路１３８、Ａ／Ｄ変換器１４０を介して画像入力コントローラ１４２に取り込まれ、メモリ１２０に格納される。メモリ１２０に格納された画像信号は、ＡＥ／ＡＷＢ検出回路１５８並びにＡＦ検出回路１６０に加えられる。
【００６８】
ＡＥ／ＡＷＢ検出回路１５８は、入力された画像信号からＡＥ制御及びＡＷＢ制御に必要な物理量を算出し、ＣＰＵ１１０に出力する。ＣＰＵ１１０は、このＡＥ／ＡＷＢ検出回路１５８からの出力に基づき、絞り値とシャッタースピードを決定するとともに、ホワイトバランス補正値を決定する。
【００６９】
また、ＡＦ検出回路１６０は、入力された画像信号からＡＦ制御に必要な物理量を算出し、ＣＰＵ１１０に出力する。ＣＰＵ１１０は、このＡＦ検出回路１６０からの出力に基づきフォーカスモータドライバ１２８の駆動を制御し、フォーカスレンズ１４Ｆの移動を制御して、撮影レンズ１４のピントを主要被写体に合わせる。
【００７０】
この後、シャッターボタン２２が全押しされると、ＣＰＵ１１０にＳ２ＯＮ信号が入力され、このＳ２ＯＮ信号に応動して、ＣＰＵ１１０は画像の記録処理を実行する。
【００７１】
まず、上記のＡＥ処理で求めた絞り値、シャッタースピードで撮像素子１３４を露光し、記録用の画像信号の取り込みを行う。
【００７２】
撮像素子１３４から出力された画像信号は、アナログ処理回路１３６、Ａ／Ｄ変換器１３８を介して画像入力コントローラ１４２に取り込まれ、メモリ１２０に格納される。メモリ１２０に格納された画像信号は、ＣＰＵ１１０の制御の下、画像信号処理回路１４４に加えられ、輝度データと色差データとからなる画像データ（ＹＣデータ）に変換される。生成された画像データは、一旦、メモリ１２０に格納され、圧縮・伸張処理回路１４６に加えられる。圧縮・伸張処理回路１４６は、画像データを所定の圧縮フォーマット（たとえばＪＰＥＧ）に従って圧縮し、圧縮された画像データは、再度、メモリ１２０に格納される。ＣＰＵ１１０は、メモリ１２０に格納された圧縮画像データに対して、撮影日時や絞り値、シャッタースピードなどの付属情報を付加した所定フォーマット（たとえばＥｘｉｆ）の画像ファイルを生成し、生成した画像ファイルをメディアコントローラ１４８を介して記憶メディア（メモリカード）１５０に記録する。
【００７３】
次に、再生モード下におけるデジタルカメラ１０の処理動作について説明する。
【００７４】
電源／モードスイッチ２４を再生位置に合わせて、カメラのモードを再生モードに設定すると、ＣＰＵ１１０は、メディアコントローラ１４８にコマンドを出力し、記憶メディア１５０に最後に記録された画像ファイルの圧縮画像データを読み出させる。
【００７５】
読み出された圧縮画像データは、圧縮・伸張処理回路１４６に加えられ、伸張処理が施されたのち、ビデオエンコーダ１５４を介してモニタ３０に出力される。これにより、記憶メディア１５０に記録されている画像がモニタ３０に再生表示される。
【００７６】
画像のコマ送りは、十字ボタン３４の左右のキー操作で行なわれ、右キーが操作されると、次のコマ（再生中の画像が最終コマの場合は先頭コマ）が再生され、左キーが操作されると、前のコマ（再生中の画像が先頭コマの場合は最終コマ）が再生される。
【００７７】
次に、証明写真モード下におけるデジタルカメラ１０の処理動作について説明する。
【００７８】
証明写真モードは、所定の規格の沿った証明写真を撮影し、デジタルカメラ１０に接続したプリンタ２００で直接プリントするモードである。この証明写真モードは、デジタルカメラ１０をプリンタ２００に接続した状態で使用する。
【００７９】
図１０は、デジタルカメラ１０をプリンタ２００に接続した時の処理の手順を示すフローチャートである。
【００８０】
まず、ＣＰＵ１１０は、ＵＳＢケーブル３００を介してデジタルカメラ１０がプリンタ２００に接続されたか否か判定する（ステップＳ１０）。
【００８１】
デジタルカメラ１０がプリンタ２００に接続されたと判定すると、プリンタ２００に対してプリンタ情報の送信を要求する（ステップＳ１１）。
【００８２】
ここで、プリンタ情報とは、プリンタ２００がプリント可能な証明写真用のサイズ、レイアウト、構図ガイドの情報であり、この要求を受けてプリンタ２００のＣＰＵ２０８は、ＲＯＭ２１０に記憶されているプリンタ情報をデジタルカメラ１０に送信する。なお、構図ガイドの情報とは、人物の顔をどの位置に配置すべきかを示す情報であり、各サイズごとに個別に用意されている。
【００８３】
デジタルカメラ１０は、プリンタ２００から送信されたプリント情報を受信し（ステップＳ１２）、ＥＥＰＲＯＭ１１８の所定の記憶領域に記録する。
【００８４】
図１１は、証明写真モード下におけるデジタルカメラ１０の処理動作の手順を示すフローチャートである。
【００８５】
まず、ＣＰＵ１１０は、証明写真モードに設定されたか否かを判定する（ステップＳ２０）。証明写真モードに設定されたと判定すると、ＣＰＵ１１０は、デジタルカメラ１０がプリンタ２００に接続されているか否か判定する（ステップＳ２１）。プリンタ２００に接続されていないと判定した場合、ＣＰＵ１１０は、液晶モニタ３０にエラーメッセージを表示させる（ステップＳ２２）。たとえば、「プリンタが接続されていません！」等のメッセージを液晶モニタ３０に表示させる。
【００８６】
プリンタ２００の接続が確認されると、ＣＰＵ１１０は、液晶モニタ３０にサイズの選択画面を表示させる（ステップＳ２３）。このプリントサイズの選択画面は、プリンタ２００から取得したプリンタ情報に基づいて生成され、たとえば、図１２（ａ）に示すように、プリンタ２００でプリント可能なサイズが、液晶モニタ３０に一覧表示される。ユーザは、この液晶モニタ３０に一覧表示されたプリントサイズの中からプリントを希望するサイズを選択する（ステップＳ２４）。選択は、液晶モニタ３０に表示されたカーソルで行われ、カーソルを十字ボタン３４の操作で希望するサイズのところへ移動させ、ＭＥＮＵ／ＯＫボタン３６を押すことにより、プリントを希望するサイズが選択される。
【００８７】
なお、本実施の形態では、プリンタ２００のプリント可能なサイズが、「６０×５０」、「４０×３０」、「３０×２４」であるので、図１２（ａ）には、これら３つのサイズを選択可能に表示した場合を例に示している。また、同図はユーザが「６０×５０」のサイズを選択した場合の例を示している。この場合、選択されたサイズの文字色が背景色と反転して表示される。
【００８８】
プリントサイズが選択されると、次に、ＣＰＵ１１０は、液晶モニタ３０にレイアウトの選択画面を表示させる（ステップＳ２５）。このレイアウトの選択画面は、プリンタ２００から取得したプリンタ情報及び選択されたサイズに基づいて生成され、たとえば、図１２（ｂ）に示すように、先に選択されたサイズに対応して選択可能なレイアウトが液晶モニタ３０に一覧表示される。ユーザは、この液晶モニタ３０に一覧表示されたレイアウトの中からプリントを希望するレイアウトを選択する（ステップＳ２６）。選択は、サイズの時と同様に液晶モニタ３０に表示されたカーソルで行われ、カーソルを十字ボタン３４の操作で希望するレイアウトのところへ移動させ、ＭＥＮＵ／ＯＫボタン３６を押すことにより、プリントを希望するレイアウトが選択される。
【００８９】
なお、図１２（ｂ）に示す例では、プリントサイズとして「６０×５０」を選択した場合の選択可能なレイアウトを示している。すなわち、プリントサイズが「６０×５０」の場合、選択可能なレイアウトは、「１×１」、「１×２」、「２×２」の３つなので、これら３つのレイアウトを選択可能に表示した場合を例に示している。ユーザは、この３つのレイアウトの中からプリントを希望するレイアウトを選択する。なお、図１２（ｂ）は、ユーザが「２×２」のサイズを選択した場合の例を示している。この場合、選択されたレイアウトの文字色が背景色と反転して表示される。
【００９０】
このように、プリンタ２００から取得したプリンタ情報に基づきプリントサイズ及びプリントレイアウトが選択される。
【００９１】
プリントレイアウトの選択が完了すると、ＣＰＵ１１０は、図１２（ｃ）に示すように、選択されたサイズ及びレイアウトの情報とともに、プリントのイメージを液晶モニタ３０に表示させる。ユーザは、この液晶モニタ３０の表示を見てサイズとレイアウトの確認を行い、誤りがなければＭＥＮＵ／ＯＫボタン３６を押して、選択を確定する。また、選択をやり直す場合は、ＢＡＣＫボタン４０を押す。
【００９２】
ＣＰＵ１１０は、ＭＥＮＵ／ＯＫボタン３６又はＢＡＣＫボタン４０の押下を検出して、選択が確定したか否か判定する（ステップＳ２７）。この判定の結果、ＢＡＣＫボタン４０の押下が検出され、選択をやり直すと判定した場合は、ステップＳ２３に戻り、再度サイズの選択からやり直す。
【００９３】
一方、ＭＥＮＵ／ＯＫボタン３６の押下が検出されて、選択が確定されたと判定すると、ＣＰＵ１１０は、液晶モニタ３０に構図ガイド付きのスルー画像を表示させる。この構図ガイド付きのスルー画像は、たとえば、図１３に示すように表示される。すなわち、液晶モニタ３０の中央に選択されたプリントサイズと同じアスペクト比の表示枠が形成され、その表示枠内に選択されたプリントサイズと同じアスペクト比のスルー画像が表示される。そして、その表示枠の周囲に選択されたサイズに対応する構図ガイドが表示される。
【００９４】
ここで、表示枠内に表示されるスルー画像は、撮像素子１３４で撮像された画像を表示枠と同じアスペクト比でトリミングしたものが表示される。このため、上記ステップＳ２７でサイズの選択が確定すると、ＣＰＵ１１０は、選択されたサイズと同じアスペクト比の画像がトリミングされるように、画像信号処理回路１４４にトリミング指令を出力する。画像信号処理回路１４４は、このＣＰＵ１１０からの指令に従い撮像素子１３４で撮像された画像をトリミングし（画面の左右を均等にカットしてトリミングする）、選択されたサイズと同じアスペクト比の画像を生成する。このように、トリミング処理された画像が液晶モニタ３０の中央に表示された表示枠内に表示される。
【００９５】
また、表示枠の周囲に表示される構図ガイドは、図１３に示すように、顔の中心合わせをガイドする「中心ガイド」と、顔の高さ位置と大きさ合わせをガイドする「顔位置ガイド」とからなる。
【００９６】
「中心ガイド」は、表示枠の上辺部中央に１本の垂直な線として表示され、この線の位置に顔の中心が位置するように、撮影者は構図を調整する。
【００９７】
また、「顔位置ガイド」は、表示枠の左右に所定の間隔をもって配置された一対の水平な線として表示され、この一対の水平な線の間に顔が位置するように、撮影者は構図を調整する。
【００９８】
上記のように、構図ガイドは、サイズに応じて個別に設定されており、ＣＰＵ１１０は選択されたサイズに対応する構図ガイドの情報をＥＥＰＲＯＭ１１８から読み出す。そして、規定の位置に「中心ガイド」と「顔位置ガイド」が表示されるように、ＯＳＤ回路１５６を制御する。
【００９９】
なお、液晶モニタ３０には、図１３に示すように、構図ガイド付きのスルー画像とともに選択したプリントのサイズとレイアウトの情報が表示される。図１３に示す例では、画面左端に選択したプリントのサイズとレイアウトの情報が表示されている。
【０１００】
このように、証明写真モードでは、液晶モニタ３０に選択したプリントサイズと同じアスペクト比のスルー画像と構図ガイドが表示され、この表示をもとに撮影者は証明写真用の画像を撮影する。
【０１０１】
ＣＰＵ１１０は、撮影指示、すなわちシャッターボタン２２の押下の有無を判定し（ステップＳ２９）、撮影指示ありと判定すると、証明写真用の画像を撮像する（ステップＳ３０）。
【０１０２】
ここで、証明写真用の画像は、スルー画像の時と同様に、撮像素子１３４で撮像された画像を選択されたサイズと同じアスペクト比でトリミングしたものが撮影画像として取得される。
【０１０３】
また、取得された画像は記憶メディア１５０に記録される前に一時的にメモリ１２０に格納され、このメモリ１２０に格納された画像が、図１４に示すように、液晶モニタ３０にプレビュー表示される（ステップＳ３１）。
【０１０４】
撮影者は、このプレビュー画像を見て取り直しの要否を判断する。そして、取り直しをする場合には、ＢＡＣＫボタン４０を押す。ＣＰＵ１１０は、このＢＡＣＫボタン４０の押下の有無を判断して、取り直し要求の有無を判断する（ステップＳ３２）。そして、取り直し要求ありと判断した場合は、ステップＳ２８に戻り、再度、構図付きのスルー画像を液晶モニタ３０に表示させて、撮影のやり直しを行う。なお、この際、メモリ１２０に一時的に記憶された証明写真用の画像は消去される。
【０１０５】
一方、取り直しの必要なしと判断した場合、撮影者は必要に応じてプリント枚数の指定を行う。
【０１０６】
ここで、図１４に示すように、プレビュー画像の表示画面には、プレビュー画像とともにプリント枚数の設定枠が表示され、このプリント枚数設定枠に表示される数字を十字ボタン３４の上下のキー操作で増減させて（上キーを１回押すごとに１増加し、下キーを１回押すごと１減少する）、プリント枚数を指定する。なお、プリント枚数はデフォルト設定で１枚とされており、必要に応じてこれを修正する。
【０１０７】
ＣＰＵ１１０は、十字ボタン３４の操作有無を検出して、プリント枚数の修正の有無を判定する（ステップＳ３３）。そして、十字ボタン３４の上キー又は下キーが操作され、プリント枚数が修正された場合は、その十字ボタン３４の上キー又は下キーの操作量に応じてプリント枚数を修正する（ステップＳ３４）。
【０１０８】
このように、必要に応じてプリント枚数の修正をした後、撮影者は、ＭＥＮＵ／ＯＫボタン３６を押して、プリント実行を指示する。ＣＰＵ１１０は、このＭＥＮＵ／ＯＫボタン３６の押下を検出して、プリント実行の有無を判定する（ステップＳ３５）。
【０１０９】
そして、プリント実行が指示されたと判定すると、ＣＰＵ１１０は、ＵＳＢインターフェース１５２を介してプリンタ２００に選択されたプリントサイズ、レイアウト、プリント枚数の情報を送信し（ステップＳ３６）、その後、撮影された証明写真用の画像データをプリンタ２００に送信する（ステップＳ３７）。
【０１１０】
また、これと同時にＣＰＵ１１０は、メモリ１２０に記憶されている画像データを圧縮後、所定の画像ファイルとして記憶メディア１５０に記録する。
【０１１１】
図１５は、プリント指示を受けたプリンタの処理動作の手順を示すフローチャートである。
【０１１２】
プリンタ２００は、ＵＳＢインターフェース２０６を介してデジタルカメラ１０からプリントサイズ、レイアウト、プリント枚数の情報を受信し、続けてプリント用の画像データを受信する。まず、プリンタ２００のＣＰＵ２０８は、プリントサイズ、レイアウト、プリント枚数の受信の有無を判定する（ステップＳ４０）。そして、プリントサイズ、レイアウト、プリント枚数を受信したと判定すると、プリント用の画像データの受信の有無を判定する（ステップＳ４１）。
【０１１３】
画像データが受信されたと判定すると、プリンタ２００のＣＰＵ２０８は、受信したプリントサイズ、レイアウトに基づき受信した画像データからプリントエンジン２１６でプリントするためのプリントデータを生成する（ステップＳ４２）。
【０１１４】
そして、生成したプリントデータに基づきプリントエンジン２１６を制御して、受信したプリントサイズ、プリントレイアウトの画像を受信したプリント枚数分だけ記録紙にプリントする（ステップＳ４３）。
【０１１５】
プリンタ２００のＣＰＵ２０８は、プリント処理が終了したか否か判定し（ステップＳ４４）、プリント処理が終了したと判定すると、デジタルカメラ１０にプリント終了を通知する（ステップＳ４５）。
【０１１６】
以上でプリンタ２００での処理が完了する。一方、デジタルカメラ１０もプリンタ２００からプリント終了の通知を受けると、一連の証明写真の撮影、プリント指令の処理を終了する。
【０１１７】
すなわち、図１４に示すように、デジタルカメラ１０のＣＰＵ１１０は、プリンタ２００に画像データを送信すると、プリンタ２００からプリント終了の通知の有無を判定し、プリントが終了したか否か判定する（ステップＳ３８）。そして、プリントが終了したと判定すると、モードの切り替えの有無を判定し（ステップＳ３９）、モードの切り替え操作がされたと判定すると、証明写真モードを終了する。一方、モードの切り替え操作がされていないと判定すると、ステップＳ２１に戻り、上記一連の処理を行って、再度証明写真の撮影、プリントの処理を実行する。
【０１１８】
このように、本実施の形態のデジタルカメラ１０は、証明写真の撮影に先立ちプリンタ２００からプリント可能なサイズ、レイアウトの情報を取得し、プリント可能なサイズ、レイアウトに基づいて撮影を行うので、希望するサイズ、枚数の証明写真を確実に得ることができる。
【０１１９】
また、デジタルカメラ側で全てのプリント設定を行うので、所望の証明写真を簡単にプリントすることができる。
【０１２０】
なお、本実施の形態では、プリンタ２００のプリント方式としてカラー感熱記録紙を用いたカラー感熱方式を採用しているが、プリンタ２００のプリント方式は、これに限定されるものではなく、たとえば、この他にインクジェット方式や熱転写方式、レーザープリント方式などを採用してもよい。
【０１２１】
また、本実施の形態では、カメラのモードが証明写真モードに設定されると、プリントサイズとレイアウトの設定が行われるようになっているが、デフォルトの設定を用意し、必要に応じてサイズとレイアウトの設定を行うようにしてもよい。また、たとえば、一度設定されると、その設定情報がＥＥＰＲＯＭに記録され、設定変更の指示がない限り、前回の設定を引き続き使用するようにしてもよい。
【０１２２】
また、本実施の形態で示したプリント可能なサイズとレイアウトは一例であり、本実施の形態で示したものに限定されるものではない。同様に構図ガイドの表示も一例を示したものであり、本実施の形態のものに限定されるものではない。
【０１２３】
また、本実施の形態で示したサイズとレイアウトの選択画面も一例であり、他の方式でサイズとレイアウトを選択するようにしてもよい。たとえば、図１６に示すように、サイズとともにプリントのイメージを液晶モニタ３０に表示させて、サイズとレイアウトを選択するようにしてもよい。
【０１２４】
また、サイズに関しては、上記実施の形態のように、縦×横の長さ表示して選択させるのではなく、たとえば、「パスポート用」や「運転免許証用」等の名称を表示して、選択させるようにしてもよい。
【０１２５】
なお、図１６に示す例は、プリント可能なサイズ、レイアウトが、「サイズ：６０×５０、レイアウト：１×１」、「サイズ：６０×５０、レイアウト：１×２」、「サイズ：６０×５０、レイアウト：２×２」の３パターンの場合を示しており、プリントを希望するサイズ、レイアウトのプリントイメージをカーソルで選択するようにされている。
【０１２６】
また、本実施の形態では、撮影した証明写真用の画像データを記憶メディア１５０に記録することとしているが、記憶メディア１５０の記録の要否をユーザが選択できるようにしてもよい。
【０１２７】
さらに、本実施の形態では、デジタルカメラ１０とプリンタ２００をＵＳＢケーブル３００で接続するようにしているが、デジタルカメラ１０とプリンタ２００との間の通信方式は、これに限定されるものではない。また、有線に限らず、無線で通信するようにしてもよい。たとえば、ＵＳＢに代えてＩＥＥＥ１３９４、ＲＳ２３２Ｃ等の通信インターフェースを用いて通信するようにしてもよいし、無線ＬＡＮ、赤外線通信、Ｂｌｕｅｔｏｏｔｈ等の無線通信手段を用いて通信するようにしてもよい。
【０１２８】
また、本実施の形態では、プリントサイズの情報とともにレイアウトの情報をプリンタから取得しているが、レイアウトの情報は必ずしも必要なものではなく、プリントサイズの情報のみ取得するようにしてもよい。
【図面の簡単な説明】
【０１２９】
【図１】本発明に係るプリントシステムの一実施形態を示すシステム構成図
【図２】本発明が適用されたデジタルカメラの一実施形態を示す正面斜視図
【図３】本発明が適用されたデジタルカメラの一実施形態を示す背面斜視図
【図４】デジタルカメラの電気的構成を示すブロック図
【図５】プリンタの電気的構成を示すブロック図
【図６】証明写真用のプリントサイズの例を示す図
【図７】プリントサイズ「６０×５０」のプリントレイアウトの例を示す図
【図８】プリントサイズ「４０×３０」のプリントレイアウトの例を示す図
【図９】プリントサイズ「３０×２４」のプリントレイアウトの例を示す図
【図１０】デジタルカメラをプリンタに接続した時の処理の手順を示すフローチャート
【図１１】証明写真モード下におけるデジタルカメラ１０の処理動作の手順を示すフローチャート
【図１２】プリントサイズ、レイアウトの設定画面の表示例を示す図
【図１３】構図ガイド付きスルー画像の表示例を示す図
【図１４】プレビュー画像の表示例を示す図
【図１５】プリンタの処理動作の手順を示すフローチャート
【図１６】プリントサイズ、レイアウトの設定画面の他の表示例を示す図
【符号の説明】
【０１３０】
１０…デジタルカメラ、１２…カメラボディ、１４…撮影レンズ、１６…ファインダ窓、１８…ストロボ、２０…マイク、２２…シャッターボタン、２４…電源／モードスイッチ、２６…モードダイヤル、２８…ファインダ接眼部、３０…液晶モニタ、３２…ズームボタン、３４…十字ボタン、３６…ＭＥＮＵ／ＯＫボタン、３８…ＤＩＳＰボタン、４０…ＢＡＣＫボタン、４２…スピーカ、４４…ＵＳＢ端子、４６…電源端子、４８…ＡＶ出力端子、５０…絞り、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２４…タイマ、１２６…光学ユニット、１２８…フォーカスモータドライバ、１３０…ズームモータドライバ、１３２…アイリスモータドライバ、１３４…撮像素子、１３６…タイミングジェネレータ（ＴＧ）、１３８…アナログ処理回路、１４０…Ａ／Ｄ変換器、１４２…画像入力コントローラ、１４４…画像信号処理回路、１４６…圧縮・伸張処理回路、１４８…メディアコントローラ、１５０…記憶メディア（メモリカード）、１５２…ＵＳＢインターフェース、１５４…ＬＣＤ／ビデオエンコーダ、１５６…ＯＳＤ回路、１５８…ＡＥ／ＡＷＢ検出回路、１６０…ＡＦ検出回路、２００…プリンタ、２０２…操作部、２０４…ＵＳＢ端子、２０６…ＵＳＢインターフェース、２０８…ＣＰＵ、２１０…ＲＯＭ、２１２…ＲＡＭ、２１４…ストレージ部、２１６…プリントエンジン、２２０…ＥＥＰＲＯＭ、３００…ＵＳＢケーブル
【図１】
2006033604.tif 000003
【図２】
2006033604.tif 000004
【図３】
2006033604.tif 000005
【図４】
2006033604.tif 000006
【図５】
2006033604.tif 000007
【図６】
2006033604.tif 000008
【図７】
2006033604.tif 000009
【図８】
2006033604.tif 000010
【図９】
2006033604.tif 000011
【図１０】
2006033604.tif 000012
【図１１】
2006033604.tif 000013
【図１２】
2006033604.tif 000014
【図１３】
2006033604.tif 000015
【図１４】
2006033604.tif 000016
【図１５】
2006033604.tif 000017
【図１６】
2006033604.tif 000018